(57)【要約】【課題】  投入メダルの検出手段付近でメダル通過の異常が検出されたとき、その下流側において投入メダルを確実に受け皿等に排出し、遊技者が不利益を被るのを防止する。【解決手段】  メダル通過方向検出手段とメダル払出手段との間のメダル通路５４に、メダル通過方向検出手段がメダルＭの通過の異常を検出したとき、メダル払出手段へのメダルＭの流下を阻止して筐体外に排出する第２のメダルブロッカＢ２を設ける。【選択図】  図８
2006034864.tif 000002
【特許請求の範囲】
【請求項１】
メダル投入口より投入されたメダルを案内して筺体内のメダル払出手段に取込むメダル通路に、メダルの通過方向を検出するメダル通過方向検出手段を設けるとともに、その上流側のメダル通路に、前記メダル通過方向検出手段がメダル通過の異常を検出したとき、メダルを筐体外に排出するメダルブロッカを設けてなる遊技機において、
前記メダル通過方向検出手段とメダル払出手段との間のメダル通路に、前記メダル通過方向検出手段がメダル通過の異常を検出したとき、前記メダル払出手段へのメダルの流下を阻止して筐体外に排出する第２のメダルブロッカを設けたことを特徴とする遊技機。
【請求項２】
第２のメダルブロッカを、通常時にメダル通路を開放する開放位置と、メダル通過の異常時にメダル通路を閉鎖し、メダルを筐体外に向かって転向させる転向位置との間を回動可能なメダル転向板と、該メダル転向板を回動させるアクチュエータを備えるものとした請求項１記載の遊技機。
【請求項３】
アクチュエータをロータリソレノイドとしてなる請求項２記載の遊技機。
【請求項４】
メダル転向板が転向位置に回動したとき、該メダル転向板により方向転換されたメダルが、メダル通路の側方に形成した開口部より落下し、該開口部の直下に設けたダクトを介して筐体外に排出されるようにした請求項２または３記載の遊技機。
【発明の詳細な説明】
【技術分野】
【０００１】
本発明は、例えばスロットマシン等の遊技機に関する。
【背景技術】
【０００２】
スロットマシンのような従来の遊技機の中には、正規の１枚のメダルが正しく投入されたことを検出して計数する２個の検出センサと、エラー発生時又は最大投入メダル数に達したとき、その後に投入されたメダルを受け皿に返却するメダルブロッカ（又は可動ガイド板）とを有するメダルセレクターを備えたものがある（例えば特許文献１、２参照）。
【特許文献１】特開２００２−２４８２１０号公報
【特許文献２】特許第２７４２７５６号公報
【発明の開示】
【発明が解決しようとする課題】
【０００３】
上記特許文献に記載されているメダルセレクターを備えた遊技機においては、いずれも、投入メダルを検出して計数する検出センサの上流側にメダルブロッカを設けているため、例えば投入されたメダルが、何らかの原因で２個の検出センサ付近で逆流したり、滞留又は通過に要する時間が長くなるなどしてエラーが発生し、その検出信号によりメダルブロッカが作動したとしても、投入されたメダルは既にメダルブロッカを通過しているため、受け皿に返却されずにそのまま遊技機本体内のメダル払出ホッパに取り込まれてしまう。
【０００４】
メダル払出ホッパに取り込まれたメダルは、エラー信号により無効となり、そのメダルによりゲームを開始することができないため、遊技者にとってはメダル１枚を損したことになり、不利益を被る。また、正規のメダル以外の偽造メダル等が返却されずにメダル払出ホッパに取り込まれてしまう問題もある。
【０００５】
本発明は、上記問題点を解決するためになされたもので、投入メダルの検出手段付近でメダル通過の異常が検出され、既に上流側のメダルブロッカを通過したメダルであっても、確実に受け皿等に排出し、遊技者が不利益を被ることのないようにした遊技機を提供することを目的としている。
【課題を解決するための手段】
【０００６】
本発明によると、上記課題は、次のようにして解決される。
(１)メダル投入口より投入されたメダルを案内して筺体内のメダル払出手段に取込むメダル通路に、メダルの通過方向を検出するメダル通過方向検出手段を設けるとともに、その上流側のメダル通路に、前記メダル通過方向検出手段がメダル通過の異常を検出したとき、メダルを筐体外に排出するメダルブロッカを設けてなる遊技機において、前記メダル通過方向検出手段とメダル払出手段との間のメダル通路に、前記メダル通過方向検出手段がメダル通過の異常を検出したとき、前記メダル払出手段へのメダルの流下を阻止して筐体外に排出する第２のメダルブロッカを設ける。
【０００７】
(２)上記(１)項において、第２のメダルブロッカを、通常時にメダル通路を開放する開放位置と、メダル通過の異常時にメダル通路を閉鎖し、メダルを筐体外に向かって転向させる転向位置との間を回動可能なメダル転向板と、該メダル転向板を回動させるアクチュエータを備えるものとする。
【０００８】
(３)上記(２)項において、アクチュエータをロータリソレノイドとする。
【０００９】
(４)上記(２)または(３)項において、メダル転向板が転向位置に回動したとき、該メダル転向板により方向転換されたメダルが、メダル通路の側方に形成した開口部より落下し、該開口部の直下に設けたダクトを介して筐体外に排出されるようにする。
【発明の効果】
【００１０】
本発明によれば、次のような効果を奏することができる。
(ａ)請求項１記載の発明によれば、メダル通過方向検出手段がメダル通過の異常を検出すると、その下流側に設けた第２のメダルブロッカがメダル払出手段へのメダルの流下を阻止し、このメダルは筐体外の例えば受け皿等に排出されて返却されるので、上流側のメダルブロッカを通過してしまったメダルがメダル払出手段に取込まれることはなく、遊技者が不利益を被るのが防止される。
【００１１】
(ｂ)請求項２記載の発明によれば、第２のメダルブロッカの構成が簡単であり、かつメダル転向板を２位置に回動させるだけでよいので、アクチュエータの制御も容易となり、コスト低減が図れる。
【００１２】
(ｃ)請求項３記載の発明によれば、メダル通過方向検出手段の異常信号に基づいて、ロータリソレノイドを電気的に迅速に作動させうるので、異常時においてメダルは確実に筐体外に排出され、メダル払出手段に取込まれる恐れはない。
【００１３】
(ｄ)請求項４記載の発明によれば、複雑なメダル排出手段を設けることなく、メダルを、その自重により開口部より落下させて簡単に受け皿等に排出することができる。
【発明を実施するための最良の形態】
【００１４】
以下、本発明の一実施形態を、図面に基づいて説明する。
図１は、本発明の一実施形態を適用した遊技機（スロットマシン）の正面図である。なお、以下の説明では、図１における紙面の手前方向を遊技機の前方、紙面の奥方面を同じく後方、紙面左方を同じく左側、紙面右方を同じく右側とする。
【００１５】
遊技機(１)は、遊技媒体を円板状のメダル（コインも含む）とし、このメダルを、筺体(２)の前面に設けた前扉(2a)の右側に設けられた後述のメダル投入部(６)に投入することにより、所定のゲームが行われるものである。筺体(２)内には、外周面に複数種類の図柄が付記された３個の回胴体(3a)やその回転モータ、インデックスセンサ等を内蔵した図柄表示ユニット(３)、各装置を制御するための制御基板、照明装置、及び音響装置、並びにその他の装置等が収容されている。
【００１６】
また、前扉(2a)の前面側には、上方から、図柄表示ユニット(３)の図柄を視認可能な表示窓(2b)、図柄表示ユニット(３)の入賞有効ラインを表示する表示ランプ(４)、入賞有効ライン上に並ぶ図柄が予め定められた組み合わせになったときに発生する入賞時のメダルの払い出し枚数、クレジット枚数、ボーナス枚数等を表示する表示部(５)、メダルを１枚ずつ筺体(２)内に投入可能なメダル投入部(６)、各種操作スイッチが配置されたスイッチ操作部(７)、払出されるメダル及び返却されるメダルの払出口(８)、払出口(８)から出てくるメダルを受け入れる受け皿(９)が設けられている。
【００１７】
スイッチ操作部(７)には、クレジット状態（予めメダル投入部(６)に投入されたメダル数を電気的に記憶して貯留する状態）のメダルを精算するときに操作される精算スイッチボタン(10)、クレジット状態のメダルを１枚ずつゲームに投資するときに操作される１枚投入スイッチボタン(11)、最大数の３枚のメダルをゲームに投資するときに操作されるＭＡＸベットスイッチボタン(12)、図柄表示ユニット(３)における各回胴体(3a)の回転を開始させるときに操作されるスタートレバー(13)、及び各回胴体(3a)の回転を停止させるときに操作されるストップスイッチボタン(14)、精算ボタン（図示略）等が配置されている。
【００１８】
図１０のブロック図に示すように、上記図柄表示ユニット(３)は、中央演算装置（ＣＰＵ）を備える制御基板(Ｃ)に接続され、３個の回胴体(3a)の回転が制御されるようになっている。
【００１９】
スロットマシン等の遊技機(１)においてゲームは、メダル投入部(６)に投入されたメダルを遊技機(１)の内部に取り込ませてクレジット状態とし、１枚投入スイッチボタン(11)またはＭＡＸベットスイッチボタン(12)を操作して、スタートレバー(13)を操作することによって開始される。
【００２０】
メダル投入部(６)より投入されたメダルは、筺体(２)の内部に設けられ、かつメダル投入部(６)の真下に配置された後述のメダルセレクター(15)に送出されて、メダルの真偽及び投入が検知された後、メダルセレクター(15)の下方に配置された、メダル払出手段であるメダル払出ホッパ（図示略）に送出される。
【００２１】
図１０のブロック図に示すように、メダル払出ホッパ(Ｈ)は制御基板(Ｃ)に接続され、入賞した際に、メダル払出ホッパ内の払出センサとホッパモータ（いずれも図示略）により、メダル払出ホッパ内に貯留されたメダルが自動的に払い出されるようになってる。
【００２２】
メダルが遊技機(１)の内部に取り込まれた後、スタートレバー(13)を操作すると、３個の回胴体(3a)が一斉に回転して、ゲームが開始される。所定時間が経過した後、各回胴体(3a)に対応するストップスイッチボタン(14)を順次操作して、各回胴体(3a)の回転を個別に停止させることによって、入賞有効ライン上に並ぶ図柄の組み合わせにより、入賞の有無、及び賞の大小に応じたメダルの配当枚数が決定される。入賞した場合には、メダルが、メダル払出ホッパにより、配当枚数分だけ払出口(８)から受け皿(９)に払い出される。
【００２３】
図２は、前扉(2a)の下半部の後面図を示すもので、上記メダル投入部(６)の下方には、メダルセレクター(15)が設けられている。このメダルセレクター(15)は、図３〜図６に詳細を示すように、合成樹脂よりなる平面視ほぼコ字状のセレクターベース(16)と、その後面側に配設される合成樹脂製の開閉ガイド板(17)と、金属製の可動ガイドプレート(18)と、セレクターベース(16)の前面側に配設されるソレノイド(19)と、メダル通過方向検出手段(20)とを主要部として構成されている。なお、上記可動ガイドプレート(18)と、ソレノイド(19)と、後記する傾動板(43)とにより、第１のメダルブロッカ(B1)を構成しいている（図７参照）。
【００２４】
図１０のブロック図に示すように、第１のメダルブロッカ(B1)のソレノイド(19)とメダル通方向検出手段(20)とは、制御基板(Ｃ)に接続され、メダル通過方向検出手段(20)により、メダル通過の異常が検出されたとき、ソレノイド(19)にオフ信号が発せられて、第１のメダルブロッカ(B1)が作動状態（メダル通過不能状態）となる。
【００２５】
セレクターベース(16)の後面には、上述したメダル投入部(６)の投入口と連通する垂直路(21a)と、この垂直路(21a)の下端に円弧状の湾曲路(21b)を介して連続するとともに、図４及び図５における右方の側板(16a)の下端に開口したスリット状の出口孔(22)に連通する、下方に緩やかに傾斜する傾斜路(21c)とからなるメダル通路(21)が形成されている。このメダル通路(21)の幅は、メダルの直径とほぼ等しく、かつその前面には、投入されたメダルの通過抵抗を低減して円滑に転動通過させるための複数の突条(23)が、互いに平行をなして突設されている。
【００２６】
また、上記湾曲路(21b)と傾斜路(21c)、及び該傾斜路(21c)の側端と連通する出口孔(22)は、垂直面に対し、上部が後方を向くように約１５°後傾させてある（図５、図６参照）。
【００２７】
これは、詳細は後述するが、正規のメダルよりも小径のメダル（又はコイン）が投入されたときや、遊技機が未稼働状態にあるとき、第１のメダルブロッカ(B1)付近において投入メダルを自重により横倒れさせてメダル通路(21)より排出するためである。
【００２８】
セレクターベース(21)の後面の下端部には、投入されたメダルの下端を受支して転動させるための硬質金属製の底板(24)が、その上端面が湾曲路(21b)と傾斜路(21c)の下端と同一面に整合するように、前面側よりねじ(25)により固定されている。
【００２９】
上記開閉ガイド板(17)の上端のやや側方寄りは、セレクターベース(16)の後面上部の隅部に突設した１対の支持片(26)(26)に、ピン(27)により回動自在に枢着され、下端部の前面が底板(24)の後面と当接するように、ねじりばね(28)により常時セレクターベース(16)に向かって付勢されている。
【００３０】
開閉ガイド板(17)における湾曲路(21b)の下部と傾斜路(21c)とに対向する部分には、後記する返却ダクト(33)にメダルを横倒しさせて排出するための排出口(29)が大きく開口されている。
【００３１】
垂直路(21a)と対向する後面は、メダル１枚が通過しうる案内路(30)が形成されるようにして、開閉ガイド板(17)により閉塞されている（図５参照）。
【００３２】
図５に示すように、開閉ガイド板(17)の下端部と、セレクターベース(16)における湾曲路(21b)と傾斜路(21c)の下端部との対向面、及びそれらの間に位置する底板(24)の上端面により、メダルの下端部を転動自在に案内するガイド凹溝(31)が形成されている。
【００３３】
開閉ガイド板(17)におけるメダル通過方向の側端下部に連設された側片(17a)の内側面にには、平面視内向Ｌ字状をなす金属製のカバープレート(32)が取付けられている。このカバープレート(32)は、上記排出口(29)より横倒れして排出されたメダル等を受け止めて、メダルセレクター(15)の直下に設けた返却ダクト(33)（図２参照）に投入し、払出口(８)から受け皿(９)に返却するためのものである。
【００３４】
図３及び図４に示すように、セレクターベース(16)の前面上部に突設した支持片(34)には、リジェクトレバー(35)の上端が、ピン(36)により前後方向に回動自在に枢着され、その下方を向く後部側の押圧片(35a)は、セレクターベース(16)の開口(37)を挿通して、後面が開閉ガイド板(17)の前面と当接しうるようになっている。
【００３５】
図１に示すように、前扉(2a)の前面におけるメダル投入部(６)の直下に設けたリジェクトボタン(38)を押すと、その後端が上記リジェクトレバー(35)の前部側の下向片(35b)の前面と当接して後方に回動させることにより、押圧片(35a)が開口(37)より突出し、開閉ガイド板(17)を後方に回動させる。
【００３６】
これにより、セレクターベース(16)と開閉ガイド板(17)との間が大きく開かれ、メダル通路(21)に詰まったメダルや異物が返却ダクト(33)に排出される。
【００３７】
上述した可動ガイドプレート(18)は、図３、図４、及び図７の断面図に示すように、セレクターベース(16)の後面側において傾斜路(21c)の上端部と対向するガイド片(18a)と、その中央部に連設され、セレクターベース(16)を貫通して前方に延出する作動片(18b)と、同じく、セレクターベース(16)を貫通して前方に延出する１対の枢支片(18c)(18c)とを備え、両枢支片(18c)を、セレクターベース(16)の前方に突設した１対の支持片(39)に、ねじりばね(40)を挿通したピン(41)に枢着することにより、前後方向に回動自在に、かつガイド片(18a)が常時傾斜路(21c)と離間する方向に付勢されるようにして取付けられている。
【００３８】
上記一方（左方）の枢支片(18c)の前端には、長寸の垂下片(42)が連設され、その下端の後向突片(42a)は、セレクターベース(16)を貫通して、常時傾斜路(21c)の出口部付近に突出している。
【００３９】
この後向突片(42a)は、ソレノイド(19)がオフとされ、第１のメダルブロッカ(B1)が作動状態（メダル通過不能状態）となっているとき、すなわち遊技ホールが準備中で遊技機が未稼働状態にあるとき、投入されたメダル(Ｍ)の通過をブロックして、メダル払出ホッパに送り込まれるのを防止し、返却ダクト(33)に強制的に投入するためのものである。
【００４０】
遊技機が稼働状態にあるときには、ソレノイド(19)はオンとされて第１のメダルブロッカ(B1)が非作動状態すなわちメダル通過可能状態となり、ソレノイド(19)の前面側の傾動板(43)が吸着されて上端部の押動片(43a)が後方に移動することにより、図７に示すように、 可動ガイドプレート(18)における作動片(18b)の前端の起立片が後向きに押圧される。
【００４１】
これにより、下端のガイド片(18a)は、傾斜路(21c)と接近する方向に移動し、ガイド片(18a)の下端部と傾斜路(21c)との対向面間に、メダル(Ｍ)の上端部をガイドするガイド溝が形成される。また同時に、上記後向突片(42a)が傾斜路(21c)から前方に引っ込むことにより、投入されたメダル(Ｍ)は、メダル払出ホッパに向かって転動することができる。
【００４２】
ソレノイド(19)がオフされて、第１のメダルブロッカ(B1)が作動状態となると、傾動板(43)の下端部が復帰ばね(44)により引っ張られ、上端部の押動片(43a)が前方に移動することにより、可動ガイドプレート(18)は、ピン(41)を中心として後向きに回動し、図７の２点鎖線で示すように、ガイド片(18a)が後方に回動して傾斜路(21c)より離間する。
【００４３】
これにより、メダル(Ｍ)の上端部をガイドするガイド溝が開かれ、メダル(Ｍ)は２点鎖線のように、後傾させた傾斜路(21c)を通過する間に自重により横倒しされて返却ダクト(33)に排出される。
【００４４】
なお、ソレノイド(19)がオンされて第１のメダルブロッカ(B1)が非作動状態であっても、正規のメダル(Ｍ)の直径より小さいメダル等が投入された際には、その上端部がガイド片(18a)によりガイドされないので、横倒しされて返却ダクト(33)に排出される。
【００４５】
上述したメダル通過方向検出手段(20)は、第１のメダルブロッカ(B1)における可動ガイドプレート(18)の下流側に設けられている。
【００４６】
図３、図４、及び図６に示すように、メダル通過方向検出手段(20)は、側面視倒立Ｌ字状をなす基板(45)における下向片(45a)の上端部と下部とに、それぞれ投光軸が後方を向くようにした投光器(46)と、受光軸が斜め上下方向を向くようにした受光器(47)との、フォトマイクロセンサよりなる透過型の検知センサを、メダル(Ｍ)の通過方向に沿って２組ずつ組込んで構成されている。
【００４７】
基板(45)の後向片(45b)の後端下部には、投光器(46)よりの光軸を受光器(47)に向かって屈折させる反射板(48)が設けられている。
【００４８】
メダル通過方向検出手段(20)は、その後向片(45b)がセレクターベース(16)を貫通して傾斜路(21c)の出口部付近の上方に突出するとともに、反射板(48)よりの光軸(49)が、投入メダル(Ｍ)の通過時にその上端部により遮られるようにして、セレクターベース(16)の前面にねじ(50)により固定されている。
【００４９】
メダル通過方向検出手段(20)における２組の検知センサの受光器(47)がオン、オフすることにより、投入されたメダル(Ｍ)の通過枚数が計数されるとともに、上流側と下流側の検知センサの投・受光器(46)(47)がオン、オフする順序及び時間により、メダル(Ｍ)の通過方向が検知され、糸吊りメダル等による引き戻しなどの不正行為が検出される。
【００５０】
なお、投・受光器(46)(47)及び前述したソレノイド(19)は、それぞれ図３に示すハーネス(51)(52)により、図１０に示す制御基板(Ｃ)に接続されている。
【００５１】
以上のように構成されたメダルセレクター(15)におけるメダル(Ｍ)の通過方向の側端には、図４及び図８にも示すように、上記メダル通路(21)の出口孔(22)より出たメダル(Ｍ)を、メダル払出ホッパに案内して投入するためのメダルシュート(53)が取付けられている。
【００５２】
メダルシュート(53)は、筺体(２)内のメダル払出ホッパの直上に向かって、若干下傾しながら延出し、外周部には、平面視円弧状に湾曲するほぼＵ字溝状のメダル通路、すなわち案内路(54)が、メダルセレクター(15)の出口孔(22)と連続するようにして形成されている。
【００５３】
案内路(54)の内側方の起立片(54a)の上端には、案内路(54)と反対の内方に向かってほぼ水平かつ円弧状に延出する上片(54b)と、その内端より下向きに延出する短寸の下向片(54c)とが連設され、起立片(54a)と上片(54b)と下向片(54c)との間の下方は開放されている。
【００５４】
案内路(54)の中間部の湾曲部付近において上記起立片(54a)と上片(54b)とを所要の長さに亘って切除することにより、案内路(54)の底面の内側方と下方とを大きく開口してあり、この開口部(55)には、第２のメダルブロッカ(B2)が設けられている。
【００５５】
第２のメダルブロッカ(B2)は、図９の断面図にも示すように、出口孔(22)からメダルシュート(53)に送り出されてきたメダル(Ｍ)の流下方向を転向するメダル転向板(56)と、これを回動させるアクチュエータ(57)とからなっている。
【００５６】
メダル転向板(56)は、上記切除した起立片(54a)の開口部を塞ぎうる大きさで、かつ案内路(54)とほぼ同じ曲率で湾曲する円弧状をなし、下流側の基端には、上下方向を向き、中心に軸孔を有する円筒状の枢着部(58)が一体的に連設されている。なお、メダル転向板(56)の基端は、枢着部(58)の外側の外周面に、接線方向を向くように連設され、枢着部(58)がメダル転向板(56)の内側、すなわち案内路(54)の内方に突出するようになっている。
【００５７】
アクチュエータ(57)は、例えばロータリソレノイドよりなり、開口部(55)付近において上記下向片(54c)の下端に連設された幅広部(54d)の下面にねじ止めされたブラケット(59)に、回転軸(57a)を上方に突出させて取付けられている。
【００５８】
メダル転向板(56)は、その枢着部(58)を上記回転軸(57a)に固嵌し、回転軸(57a)の上方への突出端部を上片(54b)に貫通させて枢支することにより、アクチュエータ(57)により、枢着部(58)を中心としてほぼ水平方向に回動させられるようになっている。
【００５９】
すなわち、アクチュエータ(57)がオンされている通常時には、図８の実線で示すように、メダル転向板(56)は、起立片(54a)の切除部を塞いで案内路(54)を開放する開放位置まで回動され、アクチュエータ(57)がオフされたときには、２点鎖線で示すように、平面視時計方向に回動させられて、遊端部の外面が案内路(54)の外方のガイド片(60)の内側面と当接することにより、案内路(54)を閉鎖し、メダル(Ｍ)を案内路(54)の側方に転向させる転向位置まで回動されるようになっている。
【００６０】
なお、ガイド片(60)におけるメダル転向板(56)が当接する内側面は、外方に凹ませてあり、メダル転向板(56)が２点鎖線の位置まで回動したとき、その先端にメダル(７)が当接することのないようにしてある。
【００６１】
アクチュエータ(57)は、図１０のブロック図に示すように、前述の第１のメダルブロッカ(B1)を作動させるソレノイド(19)と並列に接続され、メダル通過方向検出手段(20)すなわち上流側と下流側の検知センサの投・受光器(46)(47)がオン・オフする順序及び時間等に基づいて、アクチュエータ(57)とソレノイド(19)とは同時にオン・オフ制御され、第１、第２のメダルブロッカ(B1)(B2)が同時に作動するようになっている。
【００６２】
次に上記実施形態の作用を説明する。
遊技機(１)が稼動状態すなわちゲーム開始可能状態にあるときには、第１のメダルブロッカ(B1)のソレノイド(19)及び第２のメダルブロッカ(B2)のアクチュエータ(57)は共にオンとなり、第１のメダルブロッカ(B1)の可動ガイドプレート(18)は前向きに回動して投入メダルを下流側に通過可能状態とするとともに、第２のメダルブロッカ(B2)のメダル転向板(56)は図８の実線示の開放位置まで回動して、案内路(54)を開放している。
【００６３】
この状態でメダルセレクター(15)に投入されたメダル(Ｍ)は、メダル通過方向検出手段(20)において、正常に１枚のメダルが投入されたか否かが検出される。
すなわち、メダル通過方向検出手段(20)の上流側と下流側の検知センサの投・受光器(46)(47)が順番に、かつ予め設定された一定の時間内にオフ・オンしたとき、１枚のメダルが正常に投入されたと認識されて計数され、ゲームが開始可能となる。
【００６４】
この際の投入メダル(Ｍ)は、第１のメダルブロッカ(B1)を通過してメダルシュート(53)に送り出され、第２のメダルブロッカ(B2)も通過して、メダル払出ホッパに正常に取り込まれる。
【００６５】
一方メダル通過方向検出手段(20)をメダル(Ｍ)が通過する際において、何らかの原因でメダルが逆流したり、滞留又は通過に要する時間が長くなるなどし、上流側と下流側のセンサの投・受光器(46)(47)が作動する順番が逆となったり、作動時間が予め定めた一定時間を超えたときには、メダル通過のエラー信号が発せられ、この信号により、第１のメダルブロッカ(B1)のソレノイド(19)と、第２のメダルブロッカ(B2)のアクチュエータ(57)とが同時にオフされる。
【００６６】
これにより、第１のメダルブロッカ(B1)の可動ガイドプレート(18)は、後向きに回動し、メダルの上端部をガイドするガイド溝が開かれることにより、後から
投入されたメダルは横倒しされて返却ダクト(33)に排出される。
【００６７】
また、第２のメダルブロッカ(B2)のメダル転向板(56)が図８の２点鎖線の転向位置まで回動することにより、案内路(54)が閉鎖される。  
【００６８】
従って、メダル通過方向検出手段(20)付近において、メダルの通過にエラーが発生し、既に第１のメダルブロッカ(B1)を通過したメダル(Ｍ)であっても、下流側の第２のメダルブロッカ(B2)のメダル転向板(56)により、案内路(54)の下流側に流下するのが阻止されるため、メダル払出ホッパに取込まれることはない。
【００６９】
メダル転向板(56)によりガイドされて方向転換されたメダル(Ｍ)は、枢着部(58)に当接して停止されたのち、開口部(55)より落下し、図２に示すように、下端が返却ダクト(33)に接続され、上端の開口を開口部(55)の直下に臨ませた第２返却ダクト(61)に投入されて、払出口(８)より受け皿(９)に返却される。
【００７０】
以上説明したように、メダル通過方向検出手段(20)の下流側に第２のメダルブロッカ(B2)を設けたことにより、メダル通過方向検出手段(20)付近でメダルの通過エラーが発生しても、第１のメダルブロッカ(B1)を既に通過してしまったメダルは、第２のメダルブロッカ(B2)を介して受け皿(９)に返却されるので、遊技者が不利益を被ることはない。
【００７１】
また、正規のメダル以外の偽造メダル等が使用されてエラーが発生しても、そのメダルは返却されるので、メダル払出ホッパに取込まれて再度正規のメダルとして払い出される恐れもない。
【００７２】
本発明は、上記実施例に限定されるものではない。
上記実施形態では、第２のメダルブロッカ(B2)によりブロックしたメダルを、下方に落下させて第２返却ダクト(61)に投入するようにしているが、例えば図１１に示すようにしてもよい。
【００７３】
すなわち、メダルセレクター(15)の出口孔(22)に接続したメダルシュート(62)を、途中からホッパ投入用シュート(63)と返却用シュート(64)とに分岐させるとともに、それらの分岐部に、上述と同様、第１のメダルブロッカ(B1)のソレノイド(19)と同時に作動するアクチュエータ(65)と、その回転軸(65a)に基端を固着したメダル転向板(66)とからなる第２のメダルブロッカ(B2)を設け、通常時はメダル転向板(66)が実線で示す位置まで回動して、ホッパ投入用シュート(63)を開放し、エラー発生時には、メダル転向板(66)が２点鎖線のように回動して、ホッパ投入用シュート(63)を閉鎖すると同時に、返却用シュート(64)を開放するようにする。
【００７４】
ホッパ投入用シュート(63)の出口端はメダル払出ホッパに、かつ返却用シュート(64)の出口端は返却ダクト(33)に、それぞれ接続することにより、上記実施形態と同様、エラー発生時に、第１のメダルブロッカ(B1)を通過してしまったメダル(Ｍ)を、返却用シュート(64)を介して、受け皿(９)に返却することができる。
【図面の簡単な説明】
【００７５】
【図１】本発明を適用した遊技機の正面図である。
【図２】同じく、前扉の要部の後面図である。
【図３】第１のメダル検出装置を備えるメダルセレクターの分解斜視図である。
【図４】同じく、メダルシュートを取付けた状態のメダルセレクターの後面図である。
【図５】図４のＶ−Ｖ線縦断側面図である。
【図６】同じく、VI−VI線縦断側面図である。
【図７】同じく、VII−VII線縦断側面図である。
【図８】第２のメダルブロッカを設けたメダルシュートを側方より見た斜視図である。
【図９】図８のIX−IX線に沿う拡大縦断面図である。
【図１０】同じく、遊技機を制御する要部のブロック図である。
【図１１】第２のメダルブロッカの変形例を示す平面図である。
【符号の説明】
【００７６】
(１)遊技機
(２)筺体
(2a)前扉
(2b)表示窓
(３)図柄表示ユニット
(3a)回胴体
(４)表示ランプ
(５)表示器
(６)メダル投入部
(７)スイッチ操作部
(８)払出口
(９)受け皿
(10)精算スイッチボタン
(11)１枚投入スイッチボタン
(12)ＭＡＸベットスイッチボタン
(13)スタートレバー
(14)ストップスイッチボタン
(15)メダルセレクター
(16)セレクターベース
(17)開閉ガイド板
(18)可動ガイドプレート
(18a)ガイド片
(18b)作動片
(18c)枢支片
(19)ソレノイド
(20)メダル通過方向検出手段
(21)メダル通路
(21a)垂直路
(21b)湾曲路
(21c)傾斜路
(22)出口孔
(23)突条
(24)底板
(25)ねじ
(26)支持片
(27)ピン
(28)ねじりばね
(29)排出口
(30)案内路
(31)ガイド凹溝
(32)カバープレート
(33)返却ダクト
(34)支持片
(35)リジェクトレバー
(35a)押圧片
(35b)下向片
(36)ピン
(37)開口
(38)リジェクトボタン
(39)支持片
(40)ねじりばね
(41)ピン
(42)垂下片 
(42a)後向突片
(43) 傾動板  
(43a)後向片
(44)復帰ばね
(45)基板
(45a)下向片
(45b)後向片
(46)投光器
(47)受光器
(48)反射板
(49)光軸
(50)ねじ
(51)(52) ハーネス
(53)メダルシュート
(54)案内路 
(54a)起立片
(54b)上片
(54c)下向片
(54d)幅広部
(55)開口部
(56)メダル転向板
(57)アクチュエータ（ロータリソレノイド）
(57a)回転軸
(58)枢着部
(59)ブラケット
(60)ガイド片
(61)第２返却ダクト
(62)メダルシュート
(63)ホッパ投入用シュート
(64)返却用シュート
(65)アクチュエータ
(65a)回転軸
(66)メダル転向板
(B1)第１のメダルブロッカ
(B2)第２のメダルブロッカ
(Ｃ)制御基板
(Ｈ)メダル払出ホッパ（メダル払出手段）
(Ｍ)メダル
【図１】
2006034864.tif 000003
【図２】
2006034864.tif 000004
【図３】
2006034864.tif 000005
【図４】
2006034864.tif 000006
【図５】
2006034864.tif 000007
【図６】
2006034864.tif 000008
【図７】
2006034864.tif 000009
【図８】
2006034864.tif 000010
【図９】
2006034864.tif 000011
【図１０】
2006034864.tif 000012
【図１１】
2006034864.tif 000013